(57)【要約】【課題】    網枠の架設や片付け操作作業の省力化を図ること。【解決手段】  周面に多数の枢接部が設けている連接台座と、その一端が前記連接台座に設けられ、他端が自在状態である制御ワイヤと、自在素子、引張素子、少なくとも一つの転がり素子、弾性素子とから構成される定位装置と、その一端が連接台座にある各枢接部にそれぞれ枢接して設けられる複数の支持ロッドと、その一端が各支持ロッドの枢接部にそれぞれ枢接して設けてあり、他端が定位装置の自在素子の各枢接部にそれぞれ枢接して設けてある複数の支持枠とから構成される。【選択図】図３
0003107916.tif 000002
【実用新案登録請求の範囲】
【請求項１】
連接台座と、制御ワイヤと、定位装置と、複数の支持ロッドと、複数の支持枠とから構成される多機能練習用網枠において、
前記連接台座は、その周面に多数の枢接部が設けてあり、
前記制御ワイヤは、その一端が前記連接台座に設けられ、他端が自在状態であり、
前記定位装置は、自在素子と、引張素子と、少なくとも一つの転がり素子と、弾性素子とから構成されるものであり、
前記自在素子の周面には前記連接台座の多数の枢接部と対応する多数の枢接部が設けてあり、且つ前記自在素子の中央には一つの収容空間が設けてあり、
前記収容空間の下面にスライド孔が開けてあり、
前記引張素子は、その端面に一貫通孔が開けてあり、その周面に少なくとも一つの貫通孔が開けてあり、
前記貫通孔には転がり素子が収容され、且つ前記引張素子は、その周面に突起が設けてあり、転がり素子が設けられた一端は前記自在素子の収容空間内に設置され、且つ前記引張素子の一部が前記自在素子のスライド孔の外側に露出し、弾性素子を前記引張素子に嵌めて設けることにより、弾性素子の一端が自在素子の収容空間の下面に当接し、他端が引張素子の突起に当接し、前記定位装置の引張素子にある貫通孔には制御ワイヤが貫通して設けてあり、前記制御ワイヤは引張素子に設けた転がり素子に挟まれ、
前記支持ロッドは、その一端が前記連接台座にある各枢接部にそれぞれ枢接して設けられ、
前記支持枠は、その一端が各支持ロッドの枢接部にそれぞれ枢接して設けてあり、他端が定位装置の自在素子の各枢接部にそれぞれ枢接して設けてあることを特徴とする、
多機能練習用網枠。
【請求項２】
前記連接台座の各枢接部の予定位置にはストッパーが設けてあり、前記ストッパーにより前記連接台座に枢接して設けられた支持ロッドが止められることを特徴とする、請求項１に記載の多機能練習用網枠。
【請求項３】
前記自在素子の各枢接部の予定位置にはストッパーが設けてあり、前記ストッパーにより前記自在素子に枢接して設けられた支持枠が止められることを特徴とする、請求項１に記載の多機能練習用網枠。
【請求項４】
前記定位装置の自在素子の収容空間の周面は傾斜度を有し、下方の開口の直径が上方の開口の直径よりも大きいことを特徴とする、請求項１に記載の多機能練習用網枠。
【請求項５】
前記定位装置の引張素子の一端には柄部が設けてあり、前記柄部により使用者は前記引張素子を引っ張り可能に構成したことを特徴とする、請求項１に記載の多機能練習用網枠。
【考案の詳細な説明】
【技術分野】
【０００１】
本考案は多機能練習用網枠に係り、特に網枠に一つの定位装置を設けることにより、網枠の架設や片付けを省力化できる多機能練習用網枠に関するものである。
【背景技術】
【０００２】
従来、図１、２に示すような網枠が知られている。図１は従来の網枠の架設前の斜視図であり、図２は従来の網枠の架設後の斜視図である。
従来の網枠には、網枠の架設や片付けに多大の労力がかかるといった問題があった。
【考案の開示】
【考案が解決しようとする課題】
【０００３】
本考案は上記した問題点を解決するために成されたもので、その目的とするところは、網枠を架設するときに、一方の手で定位装置を握って、他方の手で制御ワイヤを下方へ引張ることにより、使用者が定位装置を容易に押すと、網枠の架設を簡単に完成することができて、操作過程が極めて省力化になる多機能練習用網枠を提供することにある。
【課題を解決するための手段】
【０００４】
上記の目的を達成するためになされた本願の第１考案は、連接台座と、制御ワイヤと、定位装置と、複数の支持ロッドと、複数の支持枠とから構成される多機能練習用網枠において、前記連接台座は、その周面に多数の枢接部が設けてあり、前記制御ワイヤは、その一端が前記連接台座に設けられ、他端が自在状態であり、前記定位装置は、一つの自在素子と、一つの引張素子と、少なくとも一つの転がり素子と、一つの弾性素子とから構成されるものである。前記自在素子の周面には前記連接台座の多数の枢接部と対応する多数の枢接部が設けてあり、且つ前記自在素子の中央には一つの収容空間が設けてあり、前記収容空間の下面にスライド孔が開けてある。前記引張素子は、その端面に一つの貫通孔が開けてあり、その周面に少なくとも一つの貫通孔が開けてある。前記貫通孔には転がり素子が収容され、且つ前記引張素子は、その周面に突起が設けてあり、転がり素子が設けられた一端は前記自在素子の収容空間内に設置され、且つ前記引張素子の一部が前記自在素子のスライド孔の外側に露出し、弾性素子を前記引張素子に嵌めて設けることにより、弾性素子の一端が自在素子の収容空間の下面に当接すると共に、その他端が引張素子の突起に当接する。前記定位装置の引張素子に形成した貫通孔には制御ワイヤが貫通して設けられてあり、前記制御ワイヤは引張素子に設けた転がり素子に挟まれ、前記支持ロッドは、その一端が前記連接台座にある各枢接部にそれぞれ枢接して設けられる。前記支持枠は、その一端が各支持ロッドの枢接部にそれぞれ枢接して設けられてあり、その他端が定位装置の自在素子の各枢接部にそれぞれ枢接して設けてあることを特徴とする多機能練習用網枠であることを要旨としている。
【０００５】
本願の第２考案では、前記の第１考案において、前記連接台座の各枢接部の予定位置にはストッパーが設けてあり、前記ストッパーにより前記連接台座に枢接して設けられた支持ロッドが止められることを特徴とする多機能練習用網枠であることを要旨としている。
【０００６】
本願の第３考案では、前記の第１考案において、前記自在素子の各枢接部の予定位置にはストッパーが設けてあり、前記ストッパーにより前記自在素子に枢接して設けられた支持枠が止められることを特徴とする多機能練習用網枠であることを要旨としている。
【０００７】
本願の第４考案では、前記の第１考案において、前記定位装置の自在素子の収容空間の周面は傾斜度を有し、下方の開口の直径が上方の開口の直径よりも大きいことを特徴とする多機能練習用網枠であることを要旨としている。
【０００８】
本願の第５考案では、前記の第１考案において、前記定位装置の引張素子の一端には一柄部が設けてあり、前記柄部により使用者は前記引張素子を引っ張ることができることを特徴とする多機能練習用網枠であることを要旨としている。
【考案の効果】
【０００９】
本考案に係る多機能練習用網枠によれば、網枠を架設するときに、一つの手で定位装置を握り、他の手で制御ワイヤを下方へ引っ張ることにより、使用者が定位装置を容易に押して網枠の架設を簡単に完成することができて、操作作業を極めて省力化することができる。
【考案を実施するための最良の形態】
【００１０】
以下に、添付した図面を参照して本考案の好適な実施の形態を詳細に説明する。
【００１１】
図３と図４に示すように本考案に係る多機能練習用網枠は、連接台座２０と、制御ワイヤ３０と、定位装置４０と、四つの支持ロッド５０と、布素子６０と、網素子７０と、四つの支持枠８０とから構成される。
【００１２】
前記連接台座２０は、中央に貫通孔２１が開けてあり、その周面に四つの枢接部２２が平行に設けてあり、各枢接部２２には枢接孔２３が開けてあり、且つ各枢接部２２には一ストッパー２４が設けてある。
【００１３】
前記制御ワイヤ３０は、その一端が前記連接台座２０にある貫通孔２１に締められ、他端が自在状態である。
【００１４】
前記定位装置４０は、図４と図５に示すように、一つの自在素子４１と、一つの引張素子４２と、三つの転がり素子４３と、一つの弾性素子４４とから構成されるものである。前記自在素子４１の周面には四つの枢接部４１１が設けてあり、各枢接部４１１には一つのストッパー４１２が設けてある。各枢接部４１１には枢接孔４１３が開けてあり、前記自在素子４１の中央には一つの収容空間４１４が設けてあり、前記収容空間４１４は、その周面が傾斜度を有し、その下面に一つのスライド孔４１５が開けてある。前記引張素子４２は、その端面に一つの貫通孔４２１が開けてあり、その一端には一つの柄部４２２が設けてあり、他端の周面には三つの貫通孔４２３が開けてある。前記貫通孔４２３には転がり素子４３が収容され、且つ前記引張素子４２は、その周面に一つの突起４２４が設けてある。転がり素子４３が設けられた一端は前記自在素子４１の収容空間４１４内に設置され、且つ前記引張素子４２の柄部４２２を設けた一端が前記自在素子４１のスライド孔４１５の外側に露出し、弾性素子４４を前記引張素子４２に嵌めて設けることにより、弾性素子４４の一端が自在素子４１の収容空間４１４の下面に当接し、他端が引張素子４２の突起４２４に当接し、前記定位装置４０の引張素子４２にある貫通孔４２１には制御ワイヤ３０が貫通して設けてある。前記制御ワイヤ３０は引張素子４２に設けた転がり素子４３に挟まれる。
【００１５】
四つの各支持ロッド５０は構造が同様である。図６に示すように、前記支持ロッド５０には枢転部５１が設けてあり、前記枢転部５１により支持ロッド５０が二段に折り畳むことができ、なお、前記支持ロッド５０には一つの枢接部５２が設けてあり、各支持ロッド５０の一端は前記連接台座２０と平行に対向する枢接部２２にある枢接孔２３内に枢接して設けてある。
【００１６】
前記布素子６０は、その各角部に中空でリング状を呈する孔素子６１が設けてある。図７に示すように、前記支持ロッド５０の他端が前記孔素子６１に挿入する。
【００１７】
前記網素子７０は、各支持ロッド５０の間に設けられ前記布素子６０と連接し、且つ対向する二つの支持ロッド５０の間には唯一のＵ型開口７１が開けてある。
【００１８】
四つの前記支持枠８０は構造が同様である。その一端が各支持ロッド５０の枢接部５２にそれぞれ枢接して設けてあり、他端が定位装置４０の自在素子４１の各枢接部４１１の枢接孔４１３にそれぞれ枢接して設けてある。
【００１９】
次に本考案に係る網枠の作動および機能について詳細に説明する。
図４と図５と図８を参照して説明すると、網枠を架設するときには、使用者は一方の手で定位装置４０を握り、他方の手で制御ワイヤ３０を引張り、制御ワイヤ３０により定位装置４０がスライドし、定位装置４０の自在素子４１により各支持枠８０が駆動され、各支持枠８０がそれぞれ各支持ロッド５０を駆動し、定位装置４０の引張素子４２にある貫通孔４２１が制御ワイヤ３０に沿って上方へスライドし、自在素子４１の枢接部４１１に設けたストッパー４１２が支持枠８０に当接する。連接台座２０のストッパー２４が支持ロッドに当接することで網枠の架設を完了する。
【００２０】
前記した定位装置４０の引張素子４２に配置した転がり素子４３と、弾性素子４４の弾力とが引張素子４２にある突起４２４を押すことにより、引張素子４２に配置した転がり素子４３が自在素子４１にある収容空間４１４の壁面に当接することができる。また、自在素子４１にある収容空間４１４の周面は傾斜度を有し、且つ下方の開口の直径が上方の開口の直径よりも大きい。前記定位装置４０を上方に押すか、又は制御ワイヤ３０を下方に引張るときに、引張素子４２に配置される転がり素子４３が自在素子４１にある収容空間４１４の壁面に止められないので、引張素子４２に配置される転がり素子４３は制御ワイヤ３０に沿ってスムーズに下方へ転がることができる。操作方向が上記と反対の場合には、その作動方向が逆になる。
【００２１】
次に、図９と図１０を参照して説明する。網枠を片付けるときには、定位装置４０の引張素子４２を引張ると、引張素子４２に配置された転がり素子４３が、引張素子４２にある突起４２４と、自在素子４１にある収容空間４１４の下面とにより、弾性素子４４を圧縮して、定位装置４０を制御ワイヤ３０に沿って下方へスライドして、自在素子４１と枢接して設ける各支持枠８０と、連接台座２０と枢接して設ける各支持ロッド５０とを内側へ折り畳み、且つ布素子６０に設けられた束ねユニット６０により、当該網枠を束ねることができる。
【００２２】
図１１に示すように各支持ロッド５の間に、網素子７０を利用してボールを止めるための網として利用する。
また前記した網素子７０の代わりに布素子６０を採用してもよく、そうすると、本考案はテントとして使用することができる。その場合の作動方式および機能は上記した実施例と同様であるので、その説明を省略する。
【図面の簡単な説明】
【００２３】
【図１】従来の網枠の架設前の斜視図である。
【図２】従来の網枠の架設後の斜視図である。
【図３】本考案の斜視概略図である。
【図４】本考案の一部の斜視図である。
【図５】本考案の一部の断面図である。
【図６】本考案の片付いた状態を示す側面概略図である。
【図７】本考案の他の一部の斜視図である。
【図８】本考案の斜視図である。
【図９】本考案の一部の断面図である。
【図１０】本考案の他の片付いた状態を示す側面概略図である。
【図１１】本考案の他の実施例の概略図である。
【符号の説明】
【００２４】
２０      連接台座
２１      貫通孔
２２      枢接部
２３      枢接孔
２４      ストッパー
３０      制御ワイヤ
４０      定位装置
４１      自在素子
４１１    枢接部
４１２    ストッパー
４１３    枢接孔
４１４    収容空間
４１５    スライド孔
４２      引張素子
４２１    貫通孔
４２２    柄部
４２３    貫通孔
４２４    突起
４３      転がり素子
４４      弾性素子
５０      支持ロッド
５１      枢転部
５２      枢接部
６０      布素子
６１      孔素子
６２      束ねユニット
７０      網素子
７１      Ｕ型開口
８０      支持枠
【図１】
0003107916.tif 000003
【図２】
0003107916.tif 000004
【図３】
0003107916.tif 000005
【図４】
0003107916.tif 000006
【図５】
0003107916.tif 000007
【図６】
0003107916.tif 000008
【図７】
0003107916.tif 000009
【図８】
0003107916.tif 000010
【図９】
0003107916.tif 000011
【図１０】
0003107916.tif 000012
【図１１】
0003107916.tif 000013